(57)【要約】【課題】  二輪車等の重量物品を格納する際に、作業者の負担を軽減した格納作業が可能なスライド格納装置を提供すること。【解決手段】  格納する重量物品の進入方向に延びる固定レール２１，２２と、この固定レール２１，２２の入出側の端部に連結され、起立状態と先端部が入出側に倒れる倒伏状態とに起倒可能で、倒伏状態で前記固定レール２１，２２と連続する可倒レール２３，２４と、この可倒レール２３，２４と前記固定レール２１，２２とに案内されて前記進入方向にスライド可能で、前記重量物品を保持する物品保持部と、前記重量物品の進入方向に沿って延びるガイド棒１６とを備え、前記物品保持部は、該物品保持部の前端に一端が係着され、他端が前記ガイド棒１６に沿って移動自在に架け渡された引張りばね１６を有し、この引張りばね１６は、前記物品保持部が前記可倒レール２３，２４の位置にあるときに所定の付勢力が作用するように構成する。【選択図】  図２
2010274680.tif 000002
【特許請求の範囲】
【請求項１】
格納する重量物品の進入方向に延びる固定レールと、
該固定レールの入出側の端部に連結され、起立状態と先端部が入出側に倒れる倒伏状態とに起倒可能で、倒伏状態で前記固定レールと連続する可倒レールと、
該可倒レールと前記固定レールとに案内されて前記進入方向にスライド可能で、前記重量物品を保持する物品保持部と、
前記重量物品の進入方向に沿って延びるガイド部とを備え、
前記物品保持部は、該物品保持部の前端に一端が係着され、他端が前記ガイド部に沿って移動自在に架け渡された引張り手段を有し、
該引張り手段は、前記物品保持部が前記可倒レールの位置にあるときに所定の付勢力が進入方向に作用するように構成されていることを特徴とするスライド格納装置。
【請求項２】
前記引張り手段は、前記物品保持部が前記固定レールの位置にスライドすることで付勢力が作用しなくなるように構成されている請求項１に記載のスライド格納装置。
【請求項３】
前記引張り手段は、前記可倒レールの位置にある前記物品保持部を起立させる付勢力を具備している請求項１又は請求項２に記載のスライド格納装置。
【請求項４】
前記引張り手段は、引張りばねで構成され、
前記ガイド部は、前記引張りばねの一端が移動自在なガイド棒で構成されている請求項１〜３のいずれか１項に記載のスライド格納装置。
【請求項５】
前記可倒レールは、前記物品保持部を該可倒レールの位置にスライドした状態を保持するロック機構を有している請求項１〜４のいずれか１項に記載のスライド格納装置。
【請求項６】
前記可倒レールは、前記ロック機構を解除する足踏み式ロック解除機構を有している請求項５に記載のスライド格納装置。
【発明の詳細な説明】
【技術分野】
【０００１】
本発明は、重量物品を所定場所に格納するために、その重量物品をスライドさせて格納するスライド格納装置に関する。
【背景技術】
【０００２】
従来、重量物品として、例えば、自動二輪車をスライドさせて格納するようにした駐車装置がある。この自動二輪車を重量物品の一例として、以下に説明する。
【０００３】
自動二輪車をスライドさせて格納する駐車装置として、例えば、スライド体を入庫部から引き出し、そのスライド体の奥側端部の保持手段に前輪を保持させ、そのスライド体とともに二輪車を格納するようにしたものがある（例えば、特許文献１参照）。
【０００４】
また、他の駐車装置として、長尺のガイドレール体とこれに沿って移動自在の前輪支持装置を備え、この前輪支持装置に前輪を支持してガイドレール体に沿って奥側へスライドさせて駐車するものがある（例えば、特許文献２参照）。
【先行技術文献】
【特許文献】
【０００５】
【特許文献１】特開２００８−２６７０６０号公報
【特許文献２】特開２００６−６２５１７号公報
【発明の概要】
【発明が解決しようとする課題】
【０００６】
しかしながら、上記特許文献１に記載された駐車装置の場合、スライド体の進入方向の寸法が少なくとも二輪車の車長よりも大きくなければならない。また、運転者は、入庫に際してこの長寸のスライド体を入庫部より外側へと引き出さなければならず、運転者の作業負担が大きい。さらに、長寸のスライド体を引き出せるようにした上で、その手前側で二輪車を待機させる必要があるため、入庫部の手前側に平坦な広い空地を確保しておく必要が生じる。
【０００７】
また、上記特許文献２に記載された駐車装置の場合、ガイドレール体の端部に位置させた前輪保持装置に前輪を保持させなければならず、ガイドレール体が設けられた位置まで運転者が入る必要があり、例えば、上部にパレットが存在する場合には、そのパレットを避けて入る必要があり、ガイドレール体が設けられた周囲の構造によっては、その構造物が邪魔になって入庫作業が非常に困難になる。この構成の場合、出庫時も同様の課題を生じる。
【０００８】
このような課題は、上記二輪車以外の重量物品を格納する場合も同様であり、限られた空間等に重量物品をスライドさせて格納しようとした場合には生じる。
【０００９】
そこで、本発明は、二輪車等の重量物品を格納する際に、作業者の負担を軽減した格納作業が可能なスライド格納装置を提供することを目的とする。
【課題を解決するための手段】
【００１０】
上記目的を達成するために、本発明は、格納する重量物品の進入方向に延びる固定レールと、該固定レールの入出側の端部に連結され、起立状態と先端部が入出側に倒れる倒伏状態とに起倒可能で、倒伏状態で前記固定レールと連続する可倒レールと、該可倒レールと前記固定レールとに案内されて前記進入方向にスライド可能で、前記重量物品を保持する物品保持部と、前記重量物品の進入方向に沿って延びるガイド部とを備え、前記物品保持部は、該物品保持部の前端に一端が係着され、他端が前記ガイド部に沿って移動自在に架け渡された引張り手段を有し、該引張り手段は、前記物品保持部が前記可倒レールの位置にあるときに所定の付勢力が進入方向に作用するように構成されていることを特徴とする。これにより、物品保持部の前端とガイド部との間に架け渡された引張り手段の付勢力で、重量物品の入庫開始段階において物品保持部を移動させる時の負担軽減と、重量物品の出庫最終段階において物品保持部を可倒レールへ移載させるときの衝撃緩和を図ることができる。しかも、物品保持部が可倒レールの位置にある状態で可倒レールを一体に起立させる際の負担軽減も図ることができる。
【００１１】
また、前記引張り手段は、前記物品保持部が前記固定レールの位置にスライドすることで付勢力が作用しなくなるように構成されていてもよい。このようにすれば、入庫開始段階と出庫最終段階以外のスライド時に引張り手段の付勢力が作用しないようにでき、物品保持部を小さい力でスムーズにスライドさせることができる。
【００１２】
さらに、前記引張り手段は、前記可倒レールの位置にある前記物品保持部を起立させる付勢力を具備していてもよい。このようにすれば、可倒レールの位置に物品保持部がスライドした状態で、この可倒レールを起立させる時に、物品保持部の重量分を引張り手段の付勢力に補助させて可倒レールを起立させることができる。
【００１３】
また、前記引張り手段は、引張りばねで構成され、前記ガイド部は、前記引張りばねの一端が移動自在なガイド棒で構成されていてもよい。このようにすれば、比較的付勢力の設定が簡単な引張りばねによって可倒レールの位置に物品保持部がある時の負担軽減を図ることができる。
【００１４】
さらに、前記可倒レールは、前記物品保持部を該可倒レールの位置にスライドした状態を保持するロック機構を有していてもよい。このようにすれば、物品保持部を可倒レールの位置にスライドさせた状態で、物品保持部に作用する付勢力をこれらに一体的に作用させることができる。
【００１５】
また、前記可倒レールは、前記ロック機構を解除する足踏み式ロック解除機構を有していてもよい。このようにすれば、物品保持部に重量物品を保持する作業を手で行いながら、足で物品保持部を可倒レールに保持しているロック機構を解除させることができ、スムーズな作業を行うことができる。
【発明の効果】
【００１６】
本発明によれば、重量物品をスライドさせて所定位置に格納する際に、作業者の負担を軽減したスムーズな作業を行うことが可能となる。
【図面の簡単な説明】
【００１７】
【図１】本発明に係るスライド格納装置を備えた機械式駐車装置の要部を示す斜視図である。
【図２】図１に示すスライド格納装置の側面図である。
【図３】図１に示すスライド格納装置における前輪保持装置の斜視図である。
【図４】図１に示すスライド格納装置における可倒レールの側面図である。
【図５】図１に示すスライド格納装置における固定レール後端部周辺の斜視図であり、ロック機構及びロック解除機構の構成を示す斜視図である。
【図６】図１に示すスライド格納装置の固定レール前端部周辺の斜視図であり、固定レールに取付けるストッパ及びピンを含む斜視図である。
【図７】(a) 〜(c) は、図２に示すスライド格納装置に自動二輪車を入庫させる手順を示す説明図である。
【図８】(d),(e) は、図７に示すスライド格納装置に自動二輪車を入庫させる手順の続きを示す説明図である。
【発明を実施するための形態】
【００１８】
以下、本発明の一実施の形態を図面に基づいて説明する。以下の実施の形態では、重量物品として自動二輪車を例にし、機械式駐車装置のパレット上に設置されるスライド格納装置を例に説明する。このスライド格納装置における方向は、入庫させる二輪車の進入方向奥側を「前方向」、手前側を「後方向」とし、「左右方向」は手前側から奥側を向いたときの方向を基準としている。上記進入方向手前側「後方向」は、「入出側」ともいう。
【００１９】
図１に示すように、この機械式駐車装置のパレット１上には箱体２が設けられ、この箱体２は、内部に二輪車Ｂを格納することができるようになっている。この箱体２は、１つのパレット１に２台の二輪車Ｂが格納できるように枠組みされた枠材３で左右に駐輪部４，５が形成されている。これらの駐輪部４，５には、二輪車Ｂの入出側に入出口６，７が設けられ、この入出口６，７にはそれぞれ扉８，９が設けられている。
【００２０】
そして、上記駐輪部４，５のパレット上面に、二輪車Ｂ（重量物品）を格納するスライド格納装置２０が設けられている。図では、駐輪部４のスライド格納装置２０のみを示している。
【００２１】
図１，２に示すように、スライド格納装置２０は、パレット１の上面に固定された固定レール２１，２２と、この固定レール２１，２２の入出側に連結された可倒レール２３，２４と、これら固定レール２１，２２と可倒レール２３，２４とに案内されて進入方向にスライドする物品保持部たる前輪保持装置２６とを備えている。この前輪保持装置２６は、二輪車Ｂの前輪Ｆを保持することで、二輪車Ｂを起立状態で保持できるものである。
【００２２】
この実施の形態では、一般的な車両用パレット１上の左右位置に２つのスライド格納装置２０を設けているため、図示するスライド格納装置２０の固定レール２２は、パレット１の中央隆起部１０上に固定され、他方の固定レール２１は、車路面１１に設けられた中央隆起部１０と同じ高さの高さ調整部材１２の上部に設けられている。
【００２３】
また、上記可倒レール２３，２４は、入出側端部が連結バー２５によって連結され、上記固定レール２１，２２の入出側に設けられたピン５０にブラケット５１で基部が支持されている（図２）。上記連結バー２５の一端部には、把持部２５ａが設けられている（図１）。これにより、可倒レール２３，２４は、固定レール２１，２２の後方向端部において、二点鎖線で示すように起立させた状態と（図２）、扉８，９（図１）を開けて入出側に倒伏させた状態とに起倒可能となっている。
【００２４】
さらに、固定レール２１の前方側部には、上記前輪保持装置２６の進入方向に延びるガイド部たるガイド棒１５が設けられている。この例のガイド棒１５は、パレット１の車路面１１に設けられており、固定レール２１の前部から後方向の所定範囲まで水平状に設けられている。このガイド棒１５の後端位置は、後述するように引張りばね１６のばね力が作用する位置に設定される。
【００２５】
そして、上記前輪保持装置２６とガイド棒１５との間には、前輪保持装置２６の前端に設けられたブラケット１７に一端が係着され、他端がガイド棒１５に沿って移動自在に架け渡された引張り手段たる引張りばね１６が設けられている。
【００２６】
この引張りばね１６により、上記前輪保持装置２６が可倒レール２３，２４の位置にスライドしている時に所定のばね力（付勢力）を進入方向に向けて作用させるようになっている。また、上記ガイド棒１５に一端が係着された引張りばね１６は、上記前輪保持装置２６が固定レール２１，２２に沿って前方向にスライドして、前輪保持装置２６に係着された位置がガイド棒１５の後端位置となった時からほぼ垂直状態となり、ばね力が作用しないようになっている。
【００２７】
このように、引張りばね１６を前輪保持スタンド２８と所定範囲に設けられたガイド棒１５との間に設けた配置構成により、上記前輪保持装置２６が可倒レール２３，２４の位置にあるときには、進入方向に向いて作用する所定のばね力が前輪保持装置２６の前部に作用するようになっている。そして、このようにすることにより、可倒レール２３，２４を起立させる力は、前輪保持装置２６が可倒レール２３，２４の位置にある時には、前輪保持装置２６の重量分を引張りばね１６のばね力によって補助（アシスト）し、残りの可倒レール２３，２４の自重又は、その自重に近い力で起立させることができるようにしている。従って、可倒レール２３，２４を起立させる時に要する力は、可倒レール２３，２４のみを起立させるときも、前輪保持装置２６を載せて一体的に起立させるときも、ほぼ同じ力となる。
【００２８】
さらに、前輪保持装置２６が固定レール２１，２２に移動した後の前方向スライド時には、引張りばね１６も前輪保持装置２６と同じようにガイド棒１５に沿ってスライドして、固定レール２１，２２の位置でのスライド時にばね力が前輪保持装置２６をスライドさせる力の妨げとならないようにしている。
【００２９】
図３に示すように、上記前輪保持装置２６は、固定レール２１，２２及び可倒レール２３，２４に沿って前後方向に移動する台車２７と、前輪保持スタンド２８とを有している。この前輪保持スタンド２８には、二輪車Ｂの前輪Ｆを拘束する拘束具２９，３０が設けられいる。この図の前輪保持装置２６は、二輪車Ｂを未保持の状態で、固定レール２１，２２に沿って移動可能となった状態を示している。
【００３０】
上記固定レール２１，２２及び可倒レール２３，２４は、互いに内向きに開口を有するコ字状断面を呈しており、これらの内面が台車２７の案内面となっている。また、上記可倒レール２３，２４は、入出側に倒伏させた状態で固定レール２１，２２に連続するレールとなる。
【００３１】
上記台車２７は、レール２１〜２４の開口に沿って前後に延びる平板状の左右一対の移動台３１を有している。移動台３１の反開口側の突出部には、左右の移動台３１を連結するフレーム３２（この例では、前輪保持スタンド２８の一部を構成）が固定されている。このフレーム３２の後水平部３２ａの左右方向中央部には、前輪後部を拘束する上記後部拘束具２９が揺動可能な状態で取付けられ、前水平部３２ｂの左右方向中央部には、前輪前部を拘束する上記前部拘束具３０が揺動可能な状態で取付けられている。両拘束具２９，３０は、前輪Ｆの保持動作に追随して揺動する。
【００３２】
上記移動台３１の左右両側面には、レール２１〜２４の開口内に位置する走行ローラ３３が枢支されている。この走行ローラ３３は、移動台３１の前後両端部に設けられており、レール２１〜２４に収容されてレール内下面を転動する。これにより台車２７がレール２１〜２４に沿って移動する。また、移動台３１の左右両側部には、上記走行ローラ３３の間から側方に突出するブラケット３４が設けられ、このブラケット３４には前後位置に左右規制ローラ３５が枢支されている。この左右規制ローラ３５により、台車２７の左右移動が規制されている。さらに、この移動台３１の前後両端部には、上記固定レール２１，２２及び可倒レール２３，２４の開口内へ突出する平板状の当て板３６，３７が設けられている。なお、上記移動台３１の上面には左右一対のアイボルト３９が設けられており、このアイボルト３９に通したロープ（図示略）で二輪車Ｂを固定することもできる。
【００３３】
一方、上記移動台３１の上面前部には横架材３８が架け渡されており、この横架材３８と移動台３１とにロック機構４０が取付けられている。このロック機構４０により、前輪保持装置２６がレール２１〜２４の所定位置で移動が規制されるようになっている。
【００３４】
ロック機構４０は、左右に延びる回動軸４１を有し、この回動軸４１の両端部が移動台３１に回動可能に支持されている。回動軸４１の両端部には、移動台３１の左右内側において揺動する揺動ブラケット４２が固定されている。この揺動ブラケット４２の外側面には、フック体４３が固定されている。フック体４３はブロック状に形成され、揺動ブラケット４２から左右外側へ突出するよう設けられている。このフック体４３の下面には、断面円弧状の逆Ｕ字溝４４が形成されている。この逆Ｕ字溝４４の内径はピン５０，７０（図５，６）の外径とほぼ等しくなっており、この逆Ｕ字溝４４をピン５０，７０に嵌合させることで、前輪保持装置２６の移動を規制するようになっている。フック体４３の下面は、この逆Ｕ字溝４４の前後位置がテーパ面４５に形成されている。
【００３５】
また、回動軸４１の左右中央部にはアーム４６が固定され、このアーム４６と横架材３８との間には引張バネ４７が架け渡されている。外力が作用しない定常状態では、引張バネ４７によって回動軸４１が所定回動角度位置で止まるように付勢され、この回動軸４１と一体的に回動するフック体４３の逆Ｕ字溝４４の開口が、固定レール２１，２２の上面と対向するようになっている。なお、フック体４３は、常時、固定レール２１，２２の上面に対して上方に離れて位置している。
【００３６】
このようなロック機構４０によれば、固定レール２１，２２の上面に設けられたピン５０，７０（図５，６）と協働して、台車２７が可動範囲の前端付近又は後端付近にあるときに、後述するように、その移動が規制される。
【００３７】
図４に示すように、可倒レール２３，２４には、その溝内の先端部にストッパ５２が固定されている。上述したように、可倒レール２３，２４を倒伏状態にすると固定レール２１，２２と互いのフランジ内下面が連続し、台車２７が固定レール２１，２２側から可倒レール２３，２４側へと滑らかに移動することができる。台車２７を後方に移動させて可倒レール２３，２４の位置まで移動させると、上記ストッパ５２に台車２７の当て板３６が当接し、台車２７の後方移動が止められる。このストッパ５２の前面にはゴム材や軟性樹脂材からなるクッション（図示略）が貼り付けられており、このクッションで当て板３６とストッパ５２との衝突時の衝撃が吸収される。
【００３８】
図示する状態は、可倒レール２３，２４の位置に前輪保持装置２６が位置する状態で起立させた状態から、これらを一体的に倒伏させて自動二輪車Ｂを格納しようとする状態を示している。
【００３９】
図５に示すように、上記ロック機構による前輪保持装置２６の移動規制は、以下のようにしてなされる。
【００４０】
上記可倒レール２３，２４を倒伏させた状態とし、台車２７を後方へ移動させて固定レール２１，２２から可倒レール２３，２４に乗り移らせると、フック体４３の後側のテーパ面４５がピン５０に前側から当接し、フック体４３がピン５０に乗り上げるように回動軸４１を中心にして回動する。この回動は上記引張バネ４７の付勢力に抗して行われる。テーパ面４５がピン５０に完全に乗り上がった後、台車２７を更に後方へ移動させると、逆Ｕ字溝４４の開口内にピン５０が入り、引張バネ４７の付勢力によってフック体４３が復動してピン５０が逆Ｕ字溝４４内に嵌合してロックされる。この状態で台車２７を前後に移動させようとしても、ピン５０が逆Ｕ字溝４４の内面に当接し、その移動が移動範囲の後端付近で規制される。このようにして前輪保持装置２６が可倒レール２３，２４の位置で移動規制される。
【００４１】
また、上記ピン５０は、上記したように可倒レール２３，２４の揺動支軸としても機能しており、ピン５０がフック体４３の逆Ｕ字溝４４内に嵌合しているときに、前輪保持装置２６の構成部材が可倒レール２３，２４にのみ支持されて、前輪保持装置２６の移動が規制された状態のまま可倒レール２３，２４と一体的に揺動させることができる。つまり、可倒レール２３，２４を倒伏状態から起立状態へと回動させることができる。この回動は、フック体４３が可倒レール２３，２４と共にピン５０を中心にして回動する。このときフック体４３は、逆Ｕ字溝４４の内面がピン５０の外面に案内されるようにして回動し、固定レール２１，２２側の部材と干渉することがない。なお、この作用を実現するために、フック体４３がピン５０と嵌合する状態で、断面円弧状の逆Ｕ字溝４４の内面の中心位置とピン５０の中心とが略一致するようにして、フック体４３が取り付けられる。
【００４２】
このようにして起立させた可倒レール２３，２４は、起立姿勢になっても逆Ｕ字溝４４内にピン５０が嵌合している状態が維持される。従って、可倒レール２３，２４を起立させることで、前輪保持装置２６も固定レール２１，２２に対して起立した状態とすることができる。
【００４３】
また、上記固定レール２１，２２には、台車２７の移動が上記ロック機構４０によって規制されている状態を解除するための足踏み式のロック解除機構６０が設けられている。
【００４４】
このロック解除機構６０は、固定レール２１の外側面の前後位置に設けられた複数のブラケット６２により回動可能に支持された連結棒６３を有している。図１に示すように、連結棒６３の軸長は固定レール２１，２２の前後長と略等しく、固定レール２１，２２に並ぶようにして前後方向に配設されている。この連結棒６３の前端部及び後端部には、固定レール２２側に向かって延びる平板状の後側操作片６４及び前側操作片６５（図６）が設けられている。
【００４５】
後側操作片６４は、ピン５０の後方向に設けられ、ピン５０がフック体４３の逆Ｕ字溝４４内に嵌合しているときには、逆Ｕ字溝４４に対して後方に位置するロック解除棒６１が後側操作片６４の直上に位置するようになっている。
【００４６】
また、上記フック体４３には、このロック解除機構６０と協働するためのロック解除棒６１が設けられている。ロック解除棒６１は、左右いずれかのフック体４３（本例では左側のフック体４３）に設けられ、逆Ｕ字溝４４に対して後部から左方に突出してレール２１，２３の上方に位置するようになっている。
【００４７】
また、連結棒６３を挟んで後側操作片６４の反対側には、左方に突出するペダル６７が設けられている。このペダル６７を操作者が踏み込むと、連結棒６３が回動して、後側操作片６４及び前側操作片６５（図６）が上方に向けて揺動させられる。これによりロック解除棒６１が押し上げられ、フック体４３が回動軸４１を中心にして回動して逆Ｕ字溝４４がピン５０（７０）から離脱し、台車２７のロックが解除される。これが、足踏み式ロック解除機構である。
【００４８】
図６に示すように、上記固定レール２１，２２の前端部には、上記前輪保持装置２６の移動を可動範囲の前端付近で規制するためのピン７０と前側のストッパ７１とが設けられている。
【００４９】
ピン７０は、平板状の取付部材７２の端部に溶接されており、この取付部材７２には固定レール２１，２２の上面に設けられた位置調整孔７３と同じ間隔をおいて２箇所にボルト孔７４が設けられている。また、上記ストッパ７１はアングル材によって構成され、一方のフランジには上記固定レール２１，２２に設けられた位置調整孔７３と同じ間隔をおいて２箇所にボルト孔（図示略）が設けられている。このストッパ７１にも、上記したストッパ５２と同様にクッションが貼り付けられる。
【００５０】
そして、ピン７０の取付部材７２とストッパ７１のボルト孔を位置調整孔７３の所望の位置に合わせてボルト７５で固定することにより、ピン７０とストッパ７１とが一体的に固定レール２１，２２の所定位置に固定されている。
【００５１】
このように、ピン７０と前側のストッパ７１とは、共に取付位置が前後方向に調整可能となっており、台車２７の可動範囲は前後のストッパの位置によって決めることができ、駐輪対象の自動二輪車Ｂ（重量物品）のサイズに合わせて適宜その可動範囲を調整することができる。この位置調整は、位置調整孔７３を設けた範囲で調整可能である。
【００５２】
そして、前輪保持装置２６が前方に移動した時に、台車２７の前側の当て板３７（図３）がストッパ７１に当接し、フック体４３の逆Ｕ字溝４４がピン７０に係合して台車２７の前方移動が規制される。
【００５３】
このピン７０に関しても、上記ピン５０と同様に、台車２７が前方に移動すると、フック体４３の前側のテーパ面４５がピン７０に後側から当接し、フック体４３が回動軸４１を中心にしてピン７０に乗り上げるように回動する。そして、テーパ面４５がピン７０に完全に乗り上がりピン７０が逆Ｕ字溝４４の開口内に位置すると、引張バネ４７の付勢力によって回動軸４１を中心にフック体４３が復動し、ピン７０が逆Ｕ字溝４４内に嵌合して台車２７の移動が移動範囲の前端付近で規制される。
【００５４】
一方、上記連結棒６３の前端が、これらピン７０及びストッパ７１の前方の固定レール２１上にブラケット６２で支持されている。この連結棒６３に固定された前側操作片６５には、前端部の下面と固定レール２１との間に引張バネ６６が架け渡されており、これにより前側操作片６５の上面及び上記後側操作片６４の上面がロック解除棒６１の下方に位置する状態となるように付勢されている（図５の状態）。
【００５５】
以下、図７(a) 〜(c) 及び図８(a),(b) に基いて、以上のように構成されたスライド格納装置２０に自動二輪車Ｂを格納する入庫作業と、その二輪車の出庫作業を説明する。以下の図面では、自動二輪車Ｂの入庫作業を図７(a) →(c) と図８(a) →(b) とに基いて順に説明する。各図では、各段階における出庫作業（図８(b) →(a) 、図７(c) →(a) ）時の作用効果も同時に説明する。
【００５６】
図７(a) に示す状態は、二輪車を格納していない状態であり、前輪を保持しない空の前輪保持スタンド２８を有する台車２７が可倒レール２３，２４と一体的に起立された状態となっている。
【００５７】
図示する下向きの円弧二点鎖線矢印ａは、「入庫の最初の作業」を示している。利用者が可倒レール２３，２４の連結バー２５の端部に設けられた把持部２５ａに手をかけて台車２７及び可倒レール２３，２４を一体で入出側に倒す。この際、引張りばね１６のばね力が徐々に増大し、可倒レール２３，２４の後端下部が着床する際（図７(b) の状態）の衝撃が緩和される。即ち、ソフトランディングができる。
【００５８】
この図に示す上向きの円弧実線矢印ｂは、「出庫の最後の作業」を示している。利用者が、以下の図７(b) の状態から、可倒レール２３，２４の把持部２５ａに手をかけて台車２７及び可倒レール２３，２４を一体に起立させる際、引張りばね１６のばね力が起立させるための力の補助となり、可倒レール２３，２４は台車２７の重量が加わって重量増大しているにも拘わらず、軽い力で起立させることができる。このように、引張りばね１６のばね力による出庫時の作用は、入庫時とは逆になる。
【００５９】
図７(b) に示す状態は、二輪車の前輪を保持しない空の前輪保持スタンド２８を有する台車２７が可倒レール２３，２４と一体になって倒伏された状態を示している。この状態は、二輪車の前輪を前輪保持スタンド２８に保持させる前の状態である。
【００６０】
この状態においては、台車２７及び可倒レール２３，２４を一体に引き起こす方向へ引張りばね１６のばね力が作用しているものの、前輪保持スタンド２８を有する台車２７の重量付加によって可倒レール２３，２４は起立動作しないように設定されている。なお、この状態は、出庫時に二輪車が前輪保持スタンド２８から後方へ引き出された状態でもある。
【００６１】
図７(c) に示す状態は、二輪車Ｂの前輪Ｆを前輪保持スタンド２８に保持させた台車２７が可倒レール２３，２４に載置された状態を示しており、引張りばね１６の他端がガイド棒１５の端部で移動規制を受けて後上方の斜め方向に引張られた状態となっている。
【００６２】
この状態は入庫開始段階であり、奥（前）方向への二点鎖線矢印ｃで示すように、利用者が二輪車Ｂのハンドルやサドル等に手をかけて押し込む状態である。この際には、引張りばね１６のばね力が押込力の補助となり、軽い力で押し込んでも台車２７が固定レール２１，２２に乗り移って図８(a) の状態となる。このように、引張りばね１６のばね力によって入庫時の押込力をアシストすることができる。
【００６３】
図示する入出側（後）方向への実線矢印ｄは、出庫時の最終段階を示している。二輪車Ｂを後方に引き戻し、台車２７が固定レール２１，２２から可倒レール２３，２４に移載されるときには台車２７を減速させる必要があるが、減速させるためには人が二輪車Ｂを前方向へ押す必要があり、重い二輪車Ｂの場合には減速できずにストッパ５２に衝突してしまう場合もあって、その場合には急ブレーキが作用することになる。
【００６４】
しかし、上記引張りばね１６により、出庫時の最終段階で引張られる引張りばね１６のばね力が途中から増大し、この引張りばね１６のばね力によって出庫最終段階の減速力を補助し、これによって減速された台車２７の後端が可倒レール２３，２４のストッパ５２に当接する際の衝撃が緩和される。また、出庫時の飛び出し防止を図ることもできる。
【００６５】
図８(a) に示す状態は、二輪車Ｂの前輪Ｆを前輪保持スタンド２８に保持させた台車２７を前方向（入庫動作）へスライドさせている途上の状態を示している。この状態では、前輪保持スタンド２８がガイド棒１５の側部に位置するため、引張りばね１６は鉛直状態のままでガイド棒１５に沿って前輪保持スタンド２８の移動に追従して移動する。そのため、二輪車Ｂを介した前輪保持スタンド２８と一体でスライドさせる台車２７の押し引きに引張りばね１６のばね力は関与しない。このスライド時には、図示する二点鎖線矢印ｅの入庫動作時も、実線矢印ｆの出庫動作時も同様に引張りばね１６のばね力によってスライドさせるための力が大きくなることはない。
【００６６】
図８(b) に示す状態は、スライド格納装置２０によって二輪車Ｂを格納した状態を示している。この状態では、台車２７は固定レール２１，２２の前側に固定されて、二輪車Ｂが所定位置に格納された状態である。また、この状態では、後部の可倒レール２３，２４は上記引張りばね１６のばね力は無関係であり、また可倒レール２３，２４には何も載っていない状態であるため、この可倒レール２３，２４の重量のみを持上げるように、上向きの円弧二点鎖線矢印ｇのように可倒レール２３，２４の引き起し、「入庫の最後の作業」をする。
【００６７】
また、出庫時における下向きの円弧実線矢印ｈで示す「出庫の最初の作業」においても、可倒レール２３，２４の重量のみを支持して引き倒すので、軽作業で行える。
【００６８】
以上のように、上記スライド格納装置２０によれば、前輪保持装置２６の前端と固定レール２１，２２側のガイド棒１５との間に架け渡された引張り手段である引張りばね１６の配置構成によって、台車２７が可倒レール２３，２４の位置にある時には引張りばね１６のばね力が進入方向に作用するようにして、前輪保持装置２６が載った状態の可倒レール２３，２４を一体に起立させる際の負担軽減を図ることができる。
【００６９】
また、上記引張りばね１６のばね力が、入庫時には押込み力の補助力として働くので、入庫時に二輪車Ｂを可倒レール２３，２４上に載せるために要する力を低減させることができ、入庫開始段階における負担軽減を図ることができる。
【００７０】
さらに、上記引張りばね１６のばね力が、出庫時におけるスライド最終段階に人が減速させる力の補助力として働くので、出庫時に要す力を低減させることができる。つまり、出庫最終段階において、前輪保持装置２６を可倒レール２３，２４へ移載させたときの衝撃緩和（ソフトランディング）を図ることができる。特に、重量の大きな二輪車等の場合、人の力で十分に減速させることができずに台車２７がストッパ５２に衝突してしまう場合あるが、そのような重量の二輪車等の場合でも引張りばね１６によってスライド最終段階で減速させることができるので、安定した出庫作業を行うことができる。
【００７１】
このように、上記スライド格納装置２０によれば、自動二輪車Ｂ等の重量物をスライドさせて所定位置に格納する場合に、その格納時及び取出し時において人が要する力を低減させることができるので、人の負担を軽減させることが可能となる。しかも、格納位置から入出側に倒す可倒レール２３，２４を起立状態にする時も、自動二輪車Ｂ等の重量物をスライドさせる物品保持部たる前輪保持装置２６が載っていても引張りばね１６の補助力によって小さな力で起立させることができ、作業に要する力を低減させたスライド格納装置２０を構成することができる。
【００７２】
なお、上記実施の形態では、機械式駐車装置のパレット１に備えさせるスライド格納装置２０を例に説明したが、駐車装置における昇降や横行のパレットは勿論、平面駐車場の固定床、簡易車庫、倉庫やプレハブロッカーの床等に備えさせるスライド格納装置２０としても利用でき、このスライド格納装置２０は機械式駐車装置に備えられるものに限定されない。
【００７３】
また、上述した実施の形態では重量物品として自動二輪車を例にして説明したが、物品保持部たる前輪保持装置２６の前輪保持スタンド２８を変更すれば、同様にスライドさせて格納する重量物品であれば上述したように格納することができ、スライド格納装置２０に格納する重量物品は自動二輪車に限定されるものではない。
【００７４】
さらに、上述した実施の形態は一例を示しており、本発明の要旨を損なわない範囲での種々の変更は可能であり、本発明は上述した実施の形態に限定されるものではない。
【産業上の利用可能性】
【００７５】
本発明に係るスライド格納装置は、自動二輪車等の重量物品を限られた空間に格納するために入出側からスライドさせて格納する装置として利用できる。
【符号の説明】
【００７６】
１５  ガイド棒（ガイド部）
１６  引張りばね（引張り手段）
１７  ブラケット
２０  スライド格納装置
２１，２２  固定レール
２３，２４  可倒レール
２５  連結バー
２６  前輪保持装置
２７  台車
２８  前輪保持スタンド
２９，３０  拘束具
３１  移動台
３２  フレーム
３３  走行ローラ
３５  左右規制ローラ
３６，３７  当て板
３８  横架材
４０  ロック機構
４１  回動軸
４３  フック体
４４  逆Ｕ字溝
４５  テーパ面
４６  アーム
４７  引張バネ
５０  ピン
５１  ブラケット
５２  ストッパ
６０  ロック解除機構
６１  ロック解除棒
６２  ブラケット
６３  連結棒
６４  後側操作片
６５  前側操作片
６６  引張バネ
７０  ピン
７１  ストッパ
【図１】
2010274680.tif 000003
【図２】
2010274680.tif 000004
【図３】
2010274680.tif 000005
【図４】
2010274680.tif 000006
【図５】
2010274680.tif 000007
【図６】
2010274680.tif 000008
【図７】
2010274680.tif 000009
【図８】
2010274680.tif 000010